(57)【特許請求の範囲】
【請求項１】
研削ロ−ル（１）を除糠スクリ−ン（２）により囲繞して精穀室（３）を形成し、その精穀室（３）の一側がわに送穀室（４）を連通連設するとともに、他側がわに取出口（５）を設け、除糠スクリ−ン（２）の内周上に前記研削ロール（１）と直交するリング状の抵抗体（８）を固設して精穀室（３）を区分した横形研削式精穀機において、前記抵抗体（８）の一部を欠如し、その欠如部（９）にフラップ台（７）に取付けた回動調節可能のフラップ（６）を位置させたことを特徴とする横形研削式精穀機の精穀室。
【発明の詳細な説明】
【０００１】
【産業上の利用分野】
本発明は、横形研削式精穀機の精穀室に関する発明である。
【０００２】
【従来の技術】
従来、研削ロ−ルを除糠スクリ−ンにより囲繞して精穀室を形成し、その精穀室の一側がわに送穀室を連通連設するとともに、他側がわに取出口を設けてなる横形研削式精穀機において、複数の研削精白片を組合せて研削ロールを形成し、該研削ロールと直交する環状の抵抗体を固設して精穀室を区分した精米機が特開平６−１３４３２５号公報に開示されている。また、円弧状の除糖スクリーンを接続する部分に角度調節自在の抵抗爪を内向きに軸設し、米粒の波動抵抗を制御する通風精米装置が特開昭６２−１１５５５に記載されているが、前者は研削ロ−ルの摩耗のみを考慮に入れて、これが摩耗すると除糠スクリ−ンがわのフラップを高さの高いものに取替えて研削ロ−ルとフラップの間隔を修正するものであるから、その間隔修正には取替えのための労力と時間を要し、組替え部品としても数種類のものを準備しておかなけらればならない構成である。後者は、単体構造の精穀室内に回動調節を可能にした抵抗爪を装着し、通風の助勢を受けながら米粒密度を均等にするものであり、本発明は抵抗体とフラップの併設によって穀粒の一時停滞を精穀室毎に生じさせる構成である。
【０００３】
【発明が解決しようとする課題】
そこで、本発明は従来のものにおける上記の欠点を払拭すべく、精穀室内の充填度を取出口がわに対して送穀室がわが低くならないようにして室内全体を均等に近付けることにより、精白性能のよい横形研削式精穀機を提供するを目的として創作されたものである。
【０００４】
【課題を解決するための手段】
本発明は、前項に記載の目的を達成することができる横形研削式精穀機を提供するために、除糠スクリ−ンの内周面上に前記研削ロ−ルと直交するリング状の抵抗体を固設し、数室の精穀室に区分するとともに抵抗体の一部を欠如し、その欠如部にフラップ台に取付けた回動調節可能のフラップを位置させた精穀室にしたものである。
【０００５】
【作用】
これによって、送穀室から精穀室に送り込まれる玄米は区分した各室で一時的滞留を生じて、移動速度が遅れた状態に研削ロ−ルの回転が作用することにより玄米が攪拌反転しながら精白作用を受けて取出口がわに流動し、該取出口に装着の加圧弁を押し開いて流出するようになる。
【０００６】
そして、送穀室から精穀室に送り込まれる玄米はこの精穀室内を数室に区分するリング状の抵抗体と回動調節可能のフラップによって取出口がわへの流動が阻まれ一時的な滞留現象を起こし、流動する移動速度が遅い状態になった玄米に回動調節可能にした前記フラップが作用して数室に区分された各室内における充填度を均等に近付けて均らすから、精白作用が精穀室の全体にわたって平等に行われるようになり負荷が分散して軸トルク変動がなく、ムラ搗きにならず、精白による米の温度上昇を抑え、乱反射がおこらず砕米の発生も生じない状態で精白される。
【０００７】
【実施例】
以下、本発明による精穀室に関して実施例図を参照し説明すると、（１）・・は研削ロ−ル、（３）は除糠スクリ−ン（２）を円筒形にして研削ロ−ル（１）・・を囲繞して形成する精穀室、（４）はリ−ドロ−ラ（１０）を内蔵し精穀室（３）に玄米を送り込む送穀室で、精穀室（３）の一側がわに連通連設して研削ロ−ル軸（１１）とリ−ドロ−ラ軸（１２）とを同一軸にしこの各軸（１１）（１２）の端部を回転自在に支承している。
【０００８】
（１３）は送穀室（４）への玄米供給用のホッパ−であり、（１４）と（１５）は操作部（１６）の操作によって開閉するシャッタ−と供給量の調節弁、（５）は精穀室（３）の他側がわに開口した白米の取出口で、ウエイト（１７）付きの加圧弁（１８）が装着されている。
【０００９】
即ち、ホッパ−（１３）に投入された玄米は送穀室（４）に供給され、リ−ドロ−ラ（１０）の回転により精穀室（３）に送り込まれるとともに、取出口（５）に装着されて白米の取出量を調整する加圧弁（１８）により精穀室（３）内に玄米が充填された状態で研削ロ−ル（１）・・・が回転して攪拌反転しながら研削による精白作用を受け、糠は除糠スクリ−ン（２）の目から漏下し白米は取出口（５）から加圧弁（１８）を押し開いて順次流出するようになっている。
【００１０】
次に、この発明の要部について記載すると、先ず、「図１」〜「図５」において、前記の除糠スクリ−ン（２）は半円筒形の２つのものに分割され、その分割せる各分割スクリ−ン（２ａ）（２ｂ）の分割縁は外方に折曲して折曲部（１９）（２０）を構成するとともに、送穀室（４）がわと取出口（５）がわの端部に一体的に設けてある半円形のスクリ−ン枠（２１）（２２）を取着ボルト（２３）によりそれぞれ機体がわに固定することによって２つの分割スクリ−ン（２ａ）（２ｂ）は研削ロ−ル（１）・・・を囲繞して精穀室（３）を形成するのである。
【００１１】
（７）（７）はフラップ（６）を有するフラップ台で、この各フラップ台（７）をフラップ（６）を内側にして前記各分割スクリ−ン（２ａ）（２ｂ）の折曲部（１９）（１９）間と（２０）（２０）の間に摺動可能な状態に嵌め込み折曲部（１９）（２０）に穿設する長穴（２４）を通して締合ボルト（２５）によりフラップ台（７）を固定し、その各フラップ台（７）の両端部は切欠いでスクリ−ン枠（２１）（２２）部分の折曲部（１９）（１９）と（２０）（２０）の間に嵌め込んで調節ボルト（２６）によりスクリ−ン枠（２１）（２２）に締合するようにしてある。
【００１２】
なお、フラップ（６）は「図３」ではフラップ台（７）に２個設けられ、「図６」では５個取着されているが、このフラップ（６）の数は特定されたものではなく適宜数のものを配設するとよいのであって、そのフラップ（６）は矢印（イ）方向の回動調節によって玄米に対する流動抵抗と誘導とを加減して玄米に攪拌反転作用を与えるのである。
【００１３】
次に、「図６」〜「図８」により記載すると、前記の各分割スクリ−ン（２ａ）（２ｂ）の内周面上には研削ロ−ル（１）と直交するリング状の２つの抵抗体（８）（８）を間隔をあけて固設し精穀室（３）内を送穀室（４）がわと中間部と取出口（５）がわの３室（３ａ）（３ｂ）（３ｃ）に区分している。即ち、精穀室（３）を数室に区分する抵抗体（８）は各分割スクリ−ン（２ａ）（２ｂ）の折曲部（１９）（１９）間と（２０）（２０）間にフラップ（６）を有するフラップ台（７）が介在してフラップ台（７）の部分では欠如している。
【００１４】
また、その抵抗体（８）は穀粒の抵抗受面がわを斜面（８ａ）に形成し、この斜面（８ａ）から平坦面（８ｂ）に移行する円周線（Ｘ）上にフラップ（６）の回動軸芯を合致させるものにして、フラップ台（７）が介在することでリング状の抵抗体（８）が欠如する欠如部（９）にフラップ（６）を位置させて構成してある。
【００１５】
なお、「図９」と「図１０」は前記の抵抗体（８）の穀粒の抵抗受面と反対側において、取出口（５）がわに向けて流動するものが滞留しないようにするために断面を台形状または３角形状にした抵抗体（８）を他の実施例として示したものである。
【００１６】
したがって、前述のように精穀室（３）内をリング状の抵抗体（８）（８）により３室（３ａ）（３ｂ）（３ｃ）に区分すると、取出口（５）がわへの玄米の流動が阻まれ一時的な滞留現象を起こして区分された各室（３ａ）（３ｂ）（３ｃ）内における充填度を欠如部（９）に設けた回動調節可能のフラップ（６）によって均等に近付けて均らし、精白作用が各室（３ａ）（３ｂ）（３ｃ）で平等に行われるようになって、負荷が分散して軸トルク変動がなく、ムラ搗きにならず、精白による米の温度上昇を抑え、乱反射がおこらないから砕米の発生も生じない状態で精白されるようになる。
【００１７】
また、その抵抗体（８）の穀粒の抵抗受面がわを斜面（８ａ）に形成することによって玄米の衝撃を緩和し次室への流動が円滑になる。更に、このリング状の抵抗体（８）の欠如部（９）にフラップ（６）を位置させると、抵抗体（８）によって流動による移行速度が遅い状態になっている玄米に対してフラップ（６）が作用するようになってフラップ（６）の作用効果が上がるのである。
【００１８】
そして、フラップ（６）と研削ロール（１）の周面との間隔（Ｍ）を調整するときは、締合ボルト（２５）を弛めてフラップ台（７）を各折曲部（１９）（１９）間と（２０）（２０）間で摺動可能な状態にしておいて、調節ボルト（２６）を弛めて抜き出しフラップ台（７）の切欠いだ部分の背面と各スクリーン枠（２１）（２２）の間に適当厚さのシム（２７）を適宜数挿入して前記各調節ボルト（２６）と締合ボルト（２５）を順じ締め付けると、例えば「図４」と「図５」に示すように、フラップ台（７）は仮想線（ロ）のように移動し、これによってフラップ（６）は仮想線（ハ）のようになり研削ロール（１）との間隔（Ｍ）が調整されるのである。
【００１９】
したがって、上記同図において、研削ロール（１）の周面が仮想線（ニ）のように磨耗すると、前述のようにラップ台（７）を移動調節してフラップ（６）を研削ロール（１）がわに移動させて間隔（Ｍ）を調整するものである。また、玄米の質等の相違による間隔（Ｍ）の調整も前述のように行うのであって、この調整により精穀室（３）内における玄米の攪拌反転が良好になってほどよい研削作用により精白される。
【００２０】
【発明の効果】
本発明のものは、以上詳述したように、研削ロ−ル（１）を除糠スクリ−ン（２）により囲繞して精穀室（３）を形成し、その精穀室（３）の一側がわに送穀室（４）を連通連設するとともに、他側がわに取出口（５）を設け、除糠スクリ−ン（２）の内周上に前記研削ロール（１）と直交するリング状の抵抗体（８）を固設して精穀室（３）を区分した横形研削式精穀機において、前記抵抗体（８）の一部を欠如し、その欠如部（９）にフラップ台（７）に取付けた回動調節可能のフラップ（６）を位置させたことを特徴とする構成の精穀室にしたから、精穀室（３）に送り込まれる玄米はこの精穀室（３）内を数室に区分するリング状の抵抗体（８）によって取出口（５）がわへの流動が阻まれ一時的な滞留現象を起こし、流動する移動速度が遅い状態になった玄米に回動調節可能にした前記フラップ（６）が作用して区分された各室（３ａ）（３ｂ）（３ｃ）内における充填度を均等に近付けて均らすから、精白作用が精穀室（３）の全体にわたって平等に行われるようになり、負荷が分散して軸トルク変動がなくムラ搗きにならず、精白による米の温度上昇を押さえ、乱反射がおこらず砕米の発生も生じない状態で精白されて性能のよいものになる。
【図面の簡単な説明】
【図１】  「図３」におけるＡ−Ａ線の断面図である。
【図２】  同図におけるＢ−Ｂ線の断面図である。
【図３】  除糠スクリ−ン部の部分側面図である。
【図４】  フラップ台取着部分の拡大図である。
【図５】  同じくフラップの拡大図である。
【図６】  横形研削式精穀機全体の側面図である。
【図７】  「図６」における精穀室の断面図である。
【図８】  抵抗体と、フラップとの関係を示す図である。
【図９】  抵抗体の他の実施例を示す図である。
【図１０】  同じく抵抗体の他の例図である。
【符号の説明】
１   研削ロ−ル
２   除糠スクリ−ン
３   精穀室
４   送穀室
５   取出口
６   フラップ
７   フラップ台
Ｍ   間隔
８   抵抗体
３ａ 室
３ｂ 室
３ｃ 室
８ａ 斜面
【図１】
0003668295.tif 000002
【図２】
0003668295.tif 000003
【図３】
0003668295.tif 000004
【図４】
0003668295.tif 000005
【図５】
0003668295.tif 000006
【図６】
0003668295.tif 000007
【図７】
0003668295.tif 000008
【図８】
0003668295.tif 000009
【図９】
0003668295.tif 000010
【図１０】
0003668295.tif 000011